(57)【要約】【課題】文書の廃棄の許否のようなシートの取扱いの内容を、複数枚まとめて又は１枚ずつ報知することができるシート処理装置を提供する。【解決手段】載置トレイ２１に載置されている文書Ｓ，Ｓ，…に付与されたＩＣタグＴ，Ｔ，…に記録してある識別情報をタグリーダ２３が検出し、検出された識別情報夫々に関連付けられている取扱情報をデータベースから全て読み出して、読み出された取扱情報が示す取扱いの内容が全て一致していたら、この取扱情報が示す取扱いの内容を報知する。一致していなければ１枚の文書Ｓを載置トレイ２１から排出トレイ２２へ搬送し、次いで、載置トレイ２１に載置されている文書Ｓ，Ｓ，…に係る識別情報をタグリーダ２３が再び検出する。この後、例えば、前回検出されて今回検出されていない識別情報（即ち搬送された文書Ｓに係る識別情報）に関連付けられている取扱情報が示す取扱いの内容を報知する。【選択図】図２
2008278420.tif 000002
【特許請求の範囲】
【請求項１】
シートに付与された記録媒体に記録してある識別情報を検出する情報検出部、及び、
識別情報とシートの取扱いの内容を示す取扱情報とを関連付けて記憶する取扱記憶手段から、前記情報検出部が検出した識別情報に関連付けられている取扱情報を読み出す取扱読出手段
を備えるシート処理装置であって、
前記情報検出部が検出した識別情報が複数である場合、該識別情報夫々に関連付けられている取扱情報が全て一致しているか否かを判定する全部一致判定手段、及び、
該全部一致判定手段が一致していると判定したとき、前記取扱情報が示す取扱いの内容を報知する取扱報知手段
を備えることを特徴とするシート処理装置。
【請求項２】
前記情報検出部が検出した識別情報が単数である場合、該識別情報に関連付けられている取扱情報が示す取扱いの内容を報知する取扱内容報知手段を更に備えることを特徴とする請求項１に記載のシート処理装置。
【請求項３】
前記情報検出部は、第１トレイに載置されているシートに付与された記録媒体に記録してある識別情報を検出するようにしてあり、
前記シートを１枚ずつ、前記第１トレイとは異なる第２トレイへ搬送する搬送手段を更に備えることを特徴とする請求項１又は２に記載のシート処理装置。
【請求項４】
前記搬送手段は、前記全部一致判定手段が否と判定したときに前記シートを搬送するようにしてあり、
前記情報検出部は、前記搬送手段が１枚のシートを搬送した後で再び、前記第１トレイに載置されているシートに付与された記録媒体に記録してある識別情報を検出するようにしてあることを特徴とする請求項３に記載のシート処理装置。
【請求項５】
１枚のシートの搬送前に前記情報検出部が検出した識別情報が複数である場合、該識別情報と、前記１枚のシートの搬送後に前記情報検出部が検出した識別情報との差分を求める差分情報算出手段、
該差分情報算出手段が求めた差分の識別情報に関連付けられている取扱情報が示す取扱いの内容を報知するか否かを判定する可否判定手段、
該可否判定手段が報知すると判定した場合に、前記取扱いの内容を報知する内容報知手段、及び、
該内容報知手段が報知する場合に、シートの搬送開始命令の入力を受け付ける開始受付手段
を備え、
前記搬送手段は、前記内容報知手段が報知する場合、少なくとも前記開始受付手段に前記搬送開始命令が入力された後で、次の１枚のシートを搬送するようにしてあることを特徴とする請求項４に記載のシート処理装置。
【請求項６】
第１トレイに載置されているシートに付与された記録媒体に記録してある識別情報を検出する情報検出部、
前記シートを１枚ずつ、前記第１トレイとは異なる第２トレイへ搬送する搬送手段、
１枚のシートの搬送前に前記情報検出部が検出した識別情報を記憶する情報記憶手段、
識別情報とシートの取扱いの内容を示す取扱情報とを関連付けて記憶する取扱記憶手段から、前記情報記憶手段に記憶されている識別情報に関連付けられている取扱情報を読み出す第１情報読出手段、及び、
該第１情報読出手段が読み出した取扱情報を、前記識別情報に関連付けて前記情報記憶手段に記憶させる第１記憶制御手段
を備え、
前記情報検出部は、前記搬送手段が１枚のシートを搬送した後で再び、前記第１トレイに載置されているシートに付与された記録媒体に記録してある識別情報を検出するようにしてあり、
前記搬送手段は、前記第１情報読出手段による取扱情報の読出しとは無関係にシートを搬送するようにしてあるシート処理装置であって、
前記識別情報が複数である場合、前記情報記憶手段に記憶されている識別情報と、前記１枚のシートの搬送後に前記情報検出部が検出した識別情報との差分を求める差分識別算出手段、
該差分識別算出手段が求めた差分の識別情報に関連付けられている取扱情報が、前記情報記憶手段に記憶されているか否かを判定する差分記憶判定手段、
該差分記憶判定手段が否と判定した場合、前記第１情報読出手段による読出しに優先して、前記取扱記憶手段から前記取扱情報を読み出す第２情報読出手段、
該第２情報読出手段が読み出した取扱情報を、前記識別情報に関連付けて前記情報記憶手段に記憶させる第２記憶制御手段、
該第２記憶制御手段による取扱情報の記憶の後、又は、前記差分記憶判定手段が記憶されていると判定した場合、前記識別情報に関連付けられている取扱情報が示す取扱いの内容を報知するか否かを判定する報知可否判定手段と、
該報知可否判定手段が報知すると判定した場合に、前記取扱いの内容を報知する内容報知手段、及び、
該内容報知手段が報知する場合に、シートの搬送開始命令の入力を受け付ける開始受付手段
を備え、
前記搬送手段は、前記報知可否判定手段が否と判定した後で次の１枚のシートが前記第２トレイへ到達するよう、又は、前記開始受付手段に前記搬送開始命令が入力された後で前記シートが前記第２トレイへ到達するよう、搬送前のシートの搬送及び搬送中のシートの搬送継続夫々を待機するようにしてあることを特徴とするシート処理装置。
【請求項７】
前記情報記憶手段に記憶されている識別情報が単数である場合、該識別情報に関連付けられている取扱情報が示す取扱いの内容を報知する取扱内容報知手段を更に備えることを特徴とする請求項６に記載のシート処理装置。
【請求項８】
１枚のシートの搬送完了後、次の１枚のシートの搬送完了前に前記情報記憶手段に記憶されている識別情報が複数である場合、該識別情報夫々に関連付けられている取扱情報が全て前記情報記憶手段に記憶されているか否かを判定する全部記憶判定手段、
該全部記憶判定手段が記憶されていると判定した場合、前記取扱情報が全て一致しているか否かを判定する情報一致判定手段、及び、
該情報一致判定手段が一致していると判定したとき、前記取扱情報が示す取扱いの内容を報知する取扱報知手段
を更に備え、
前記搬送手段は、前記取扱報知手段が報知するとき、前記次の１枚のシートの搬送完了を禁止するようにしてあることを特徴とする請求項６又は７に記載のシート処理装置。
【請求項９】
前記取扱記憶手段には、取扱情報として、シートの処分の許否を示す情報が記憶されていることを特徴とする請求項１乃至８の何れか一項に記載のシート処理装置。
【発明の詳細な説明】
【技術分野】
【０００１】
本発明は、シートに付与された記録媒体に記録してある識別情報（以下、シートに係る識別情報という）を検出し、検出した識別情報を用いて、シートの取扱いの内容を示す取扱情報を読み出すシート処理装置に関する。
【背景技術】
【０００２】
自動原稿給送装置（ＡＤＦ：Automatic Document Feeder ）が備えられているスキャナ、コピー機、ファクシミリ装置等の画像読取装置は、ＡＤＦの原稿トレイに載置されているシート状の原稿を、画像読取部を通過させてから、排紙トレイへ搬送するよう構成されている。
従来、識別情報を記録する記録媒体（例えばＩＣタグ）を原稿に予め付与しておき、原稿トレイに載置されている原稿に付与されたＩＣタグに記録してある識別情報を、ＲＦＩＤ技術（Radio Frequency IDentification：無線通信を利用した非接触による自動認識技術）を利用して検出し、検出した識別情報に基づいて、画像読取部による画像読取の許否、原稿のサイズ等を判定する画像読取装置が提案されている（特許文献１参照）。
【０００３】
ところで、文字、図画等の画像が形成されているシート（以下、文書という）を廃棄する場合、一般には、文書を廃棄する作業者が、例えば文書管理記録を参照して、廃棄の許否を文書毎に判断する。
【０００４】
また、文書を特定する情報及び文書の廃棄時期を含む文書情報を格納しているデータベースと、このデータベースにアクセスするサーバ装置と、このサーバ装置と通信するクライアント装置とで構成されている文書管理支援システムが提案されている。この文書管理支援システムにおいては、文書情報は、クライアント装置からサーバ装置を介してデータベースに登録され、サーバ装置はデータベースにアクセスすることによって、廃棄時期が近づいた文書の文書情報を得て、クライアント装置に提示する。この結果、クライアント装置を使用する作業者に対し、文書を廃棄すべき時期に、廃棄すべき文書を特定する情報が報知される（特許文献２参照）。
【０００５】
一方、廃棄の許否を自動的に判定して適切に文書を廃棄するシュレッダが提案されている。このシュレッダは、挿入された文書に付与されたＩＣタグに記録してある識別情報をＲＦＩＤ技術で読み出し、読み出した識別情報に基づいて廃棄の許否を判定し、廃棄が許可されている場合は文書を細断して廃棄を実行し、廃棄が許可されていない場合は文書を細断せずに排出して廃棄を回避するよう構成されている（特許文献３参照）。
【特許文献１】特開２００６−８０８０４号公報
【特許文献２】特開２００３−５８６２９号公報
【特許文献３】特開２００６−３４４０８３号公報
【発明の開示】
【発明が解決しようとする課題】
【０００６】
しかしながら、特許文献３に開示されているシュレッダは、文書の廃棄の許否を１枚ずつ判定する必要があるため、複数枚の文書に対して廃棄の許否を同時的に判定することができない。また、廃棄が許可されている文書はＩＣタグと共に細断されるため、文書とＩＣタグとの分別廃棄、文書の裏側をメモ用紙として再利用するようなリサイクル等は不可能である。更に、一般的なシュレッダは、文書を細断せずに排出する機能を備えていないため、この機能を備える分だけ、特許文献３に開示されているシュレッダは構成が複雑である。
【０００７】
更にまた、特許文献２に開示されている文書管理支援システムは、クライアント装置に対して文書情報を一方的に提示する物であり、作業者が、特定の文書の廃棄の許否を能動的に調査したい場合には不便である。しかも、クライアント装置に提示された文書情報に基づいて、複数枚、特に多数枚の文書の中から、廃棄が許可された文書と許可されていない文書とを、作業者が手作業で区別する必要があるため、作業性が悪い。
【０００８】
また、特許文献１に開示されている画像読取装置は、文書の廃棄の許否を判定する機能を備えていない。
更に、文書の廃棄の許否の報知に限定されず、文書の廃棄、文書の保管場所の書棚から倉庫への変更等、文書の処分の許否も含む文書の取扱いの内容を報知する機能を備えた装置が望まれている。
【０００９】
本発明は斯かる事情に鑑みてなされたものであり、その主たる目的は、複数枚のシートに係る識別情報を検出し、検出した識別情報夫々に関連付けられている取扱情報を読み出し、読み出した取扱情報が全て一致しているか否かを判定し、一致している場合に、この取扱情報が示す内容を報知する構成とすることにより、複数枚のシートの取扱いの内容が全てのシートに共通しているか否か、更には全てのシートに共通する取扱いの内容を作業者が容易に把握することができるシート処理装置を提供することにある。
【００１０】
本発明の他の目的は、１枚のシートに係る識別情報を検出し、検出した識別情報に関連付けられている取扱情報が示す内容を報知する構成とすることにより、１枚のシートの取扱いの内容を作業者が容易に把握することができるシート処理装置を提供することにある。
【００１１】
本発明の他の目的は、第１トレイに載置されている複数枚のシートに係る識別情報を検出し、検出した識別情報夫々に関連付けられている取扱情報を読み出し、読み出した取扱情報が全て一致しているか否かを判定し、一致している場合に、この取扱情報が示す内容を報知する構成とすることにより、第１トレイに載置されている複数枚のシートの取扱いの内容が全てのシートに共通しているか否か、更には全てのシートに共通する取扱いの内容を作業者が容易に把握することができ、しかも、簡易に構成することができるシート処理装置を提供することにある。
【００１２】
本発明の他の目的は、取扱情報が一致していない場合に、第１トレイから第２トレイへ１枚のシートを搬送し、次いで、まだ第１トレイに載置されている複数枚のシートに係る識別情報に関連付けられている取扱情報が全て一致しているか否かを判定し、一致している場合に、この取扱情報が示す内容を報知する構成とすることにより、取扱いの内容が混交している複数枚のシートから自動的に１枚を抜き取った後で、まだ第１トレイに載置されている複数枚のシートの取扱いの内容が全てのシートに共通しているか否か、更には全てのシートに共通する取扱いの内容を作業者が容易に把握することができるシート処理装置を提供することにある。
【００１３】
本発明の他の目的は、第１トレイから第２トレイへ搬送された１枚のシートに係る識別情報に関連付けられている取扱情報が示す内容を報知すべきか否かを判定し、報知すべき場合に報知する構成とすることにより、取扱いの内容が混交している複数枚のシートから自動的に抜き取られた１枚のシートの取扱いの内容を作業者が容易に把握することができるシート処理装置を提供することにある。
【００１４】
本発明の他の目的は、第１トレイから第２トレイへ搬送された１枚のシートに係る識別情報を検出し、検出した識別情報に関連付けられている取扱情報を読み出し、読み出した取扱情報が示す内容を報知すべきか否かを判定し、報知すべき場合に報知する構成とすることにより、複数枚のシートに係る取扱情報の読出しの完了を待つことなく、複数枚のシートから自動的に抜き取られた１枚のシートの取扱いの内容を作業者が容易に把握することができ、しかも、簡易に構成することができるシート処理装置を提供することにある。
【００１５】
本発明の他の目的は、１枚だけ第１トレイに載置されていたシートが第２トレイへ搬送されてから、このシートに係る識別情報に関連付けられている取扱情報が示す内容を報知する構成とすることにより、１枚のシートの取扱いの内容を作業者が容易に把握することができるシート処理装置を提供することにある。
【００１６】
本発明の他の目的は、第１トレイに載置されている複数枚のシート夫々に係る識別情報に関連付けられている取扱情報が全て一致しているか否かを判定し、一致している場合に、この取扱情報が示す内容を報知する構成とすることにより、まだ第１トレイに載置されている複数枚のシートの取扱いの内容が全てのシートに共通しているか否か、更には全てのシートに共通する取扱いの内容を作業者が容易に把握することができるシート処理装置を提供することにある。
【００１７】
本発明の更に他の目的は、取扱情報として、シートの処分の許否を示す情報を用いる構成とすることにより、シートの処分の許否を作業者が容易に把握することができるシート処理装置を提供することにある。
【課題を解決するための手段】
【００１８】
第１発明に係るシート処理装置は、シートに付与された記録媒体に記録してある識別情報を検出する情報検出部、及び、識別情報とシートの取扱いの内容を示す取扱情報とを関連付けて記憶する取扱記憶手段から、前記情報検出部が検出した識別情報に関連付けられている取扱情報を読み出す取扱読出手段を備えるシート処理装置であって、前記情報検出部が検出した識別情報が複数である場合、該識別情報夫々に関連付けられている取扱情報が全て一致しているか否かを判定する全部一致判定手段、及び、該全部一致判定手段が一致していると判定したとき、前記取扱情報が示す取扱いの内容を報知する取扱報知手段を備えることを特徴とする。
【００１９】
第２発明に係るシート処理装置は、前記情報検出部が検出した識別情報が単数である場合、該識別情報に関連付けられている取扱情報が示す取扱いの内容を報知する取扱内容報知手段を更に備えることを特徴とする。
【００２０】
第３発明に係るシート処理装置は、前記情報検出部は、第１トレイに載置されているシートに付与された記録媒体に記録してある識別情報を検出するようにしてあり、前記シートを１枚ずつ、前記第１トレイとは異なる第２トレイへ搬送する搬送手段を更に備えることを特徴とする。
【００２１】
第４発明に係るシート処理装置は、前記搬送手段は、前記全部一致判定手段が否と判定したときに前記シートを搬送するようにしてあり、前記情報検出部は、前記搬送手段が１枚のシートを搬送した後で再び、前記第１トレイに載置されているシートに付与された記録媒体に記録してある識別情報を検出するようにしてあることを特徴とする。
【００２２】
第５発明に係るシート処理装置は、１枚のシートの搬送前に前記情報検出部が検出した識別情報が複数である場合、該識別情報と、前記１枚のシートの搬送後に前記情報検出部が検出した識別情報との差分を求める差分情報算出手段、該差分情報算出手段が求めた差分の識別情報に関連付けられている取扱情報が示す取扱いの内容を報知するか否かを判定する可否判定手段、該可否判定手段が報知すると判定した場合に、前記取扱いの内容を報知する内容報知手段、及び、該内容報知手段が報知する場合に、シートの搬送開始命令の入力を受け付ける開始受付手段を備え、前記搬送手段は、前記内容報知手段が報知する場合、少なくとも前記開始受付手段に前記搬送開始命令が入力された後で、次の１枚のシートを搬送するようにしてあることを特徴とする。
【００２３】
第６発明に係るシート処理装置は、第１トレイに載置されているシートに付与された記録媒体に記録してある識別情報を検出する情報検出部、前記シートを１枚ずつ、前記第１トレイとは異なる第２トレイへ搬送する搬送手段、１枚のシートの搬送前に前記情報検出部が検出した識別情報を記憶する情報記憶手段、識別情報とシートの取扱いの内容を示す取扱情報とを関連付けて記憶する取扱記憶手段から、前記情報記憶手段に記憶されている識別情報に関連付けられている取扱情報を読み出す第１情報読出手段、及び、該第１情報読出手段が読み出した取扱情報を、前記識別情報に関連付けて前記情報記憶手段に記憶させる第１記憶制御手段を備え、前記情報検出部は、前記搬送手段が１枚のシートを搬送した後で再び、前記第１トレイに載置されているシートに付与された記録媒体に記録してある識別情報を検出するようにしてあり、前記搬送手段は、前記第１情報読出手段による取扱情報の読出しとは無関係にシートを搬送するようにしてあるシート処理装置であって、前記識別情報が複数である場合、前記情報記憶手段に記憶されている識別情報と、前記１枚のシートの搬送後に前記情報検出部が検出した識別情報との差分を求める差分識別算出手段、該差分識別算出手段が求めた差分の識別情報に関連付けられている取扱情報が、前記情報記憶手段に記憶されているか否かを判定する差分記憶判定手段、該差分記憶判定手段が否と判定した場合、前記第１情報読出手段による読出しに優先して、前記取扱記憶手段から前記取扱情報を読み出す第２情報読出手段、該第２情報読出手段が読み出した取扱情報を、前記識別情報に関連付けて前記情報記憶手段に記憶させる第２記憶制御手段、該第２記憶制御手段による取扱情報の記憶の後、又は、前記差分記憶判定手段が記憶されていると判定した場合、前記識別情報に関連付けられている取扱情報が示す取扱いの内容を報知するか否かを判定する報知可否判定手段と、該報知可否判定手段が報知すると判定した場合に、前記取扱いの内容を報知する内容報知手段、及び、該内容報知手段が報知する場合に、シートの搬送開始命令の入力を受け付ける開始受付手段を備え、前記搬送手段は、前記報知可否判定手段が否と判定した後で次の１枚のシートが前記第２トレイへ到達するよう、又は、前記開始受付手段に前記搬送開始命令が入力された後で前記シートが前記第２トレイへ到達するよう、搬送前のシートの搬送及び搬送中のシートの搬送継続夫々を待機するようにしてあることを特徴とする。
【００２４】
第７発明に係るシート処理装置は、前記情報記憶手段に記憶されている識別情報が単数である場合、該識別情報に関連付けられている取扱情報が示す取扱いの内容を報知する取扱内容報知手段を更に備えることを特徴とする。
【００２５】
第８発明に係るシート処理装置は、１枚のシートの搬送完了後、次の１枚のシートの搬送完了前に前記情報記憶手段に記憶されている識別情報が複数である場合、該識別情報夫々に関連付けられている取扱情報が全て前記情報記憶手段に記憶されているか否かを判定する全部記憶判定手段、該全部記憶判定手段が記憶されていると判定した場合、前記取扱情報が全て一致しているか否かを判定する情報一致判定手段、及び、該情報一致判定手段が一致していると判定したとき、前記取扱情報が示す取扱いの内容を報知する取扱報知手段を更に備え、前記搬送手段は、前記取扱報知手段が報知するとき、前記次の１枚のシートの搬送完了を禁止するようにしてあることを特徴とする。
【００２６】
第９発明に係るシート処理装置は、前記取扱記憶手段には、取扱情報として、シートの処分の許否を示す情報が記憶されていることを特徴とする。
【００２７】
第１発明にあっては、作業者が、複数枚のシートを情報検出部に接近、接触等させることによって、これらの複数枚のシートに共通している取扱いの内容が作業者に報知される。
このために、シートに付与された記録媒体に記録してある識別情報（即ちシートに係る識別情報）を検出する情報検出部を備え、取扱読出手段が、識別情報とシートの取扱いの内容を示す取扱情報とを関連付けて記憶する取扱記憶手段から、情報検出部が検出した識別情報に関連付けられている取扱情報を読み出す。
【００２８】
情報検出部が検出した識別情報が複数である場合、検出された複数の識別情報夫々に関連付けられている取扱情報が全て一致しているか否かを全部一致判定手段が判定し、全部一致判定手段が、取扱情報が全て一致していると判定したとき、取扱記憶手段から読み出した取扱情報が示すシートの取扱いの内容を取扱報知手段が報知する。
【００２９】
ここで、取扱記憶手段は、例えばシート処理装置に内蔵又は外付けされているか、シート処理装置と通信可能な外部の装置に備えられており、識別情報とシートの取扱いの内容を示す取扱情報とを関連付けて予め記憶している。
また、シートの取扱いの内容とは、例えばシートの廃棄、売却、寄贈、保管場所の変更等が許可されているか否か、シートに形成されている画像を社外秘とすべきか否か等である。
【００３０】
第２発明にあっては、作業者が、１枚のシートを情報検出部に接近、接触等させることによって、このシートの取扱いの内容が作業者に報知される。
このために、情報検出部が検出した識別情報が単数である場合、検出された単数の識別情報に関連付けられている取扱情報が示すシートの取扱いの内容を取扱内容報知手段が報知する。
【００３１】
第３発明にあっては、第１トレイに載置されている複数枚のシートに係る識別情報を情報検出部が検出し、検出した識別情報夫々に関連付けられている取扱情報を取扱読出手段が読み出し、読み出した取扱情報が全て一致しているか否かを全部一致判定手段が判定し、一致している場合に、この取扱情報が示す内容を取扱報知手段が報知する。又は、第１トレイに載置されている１枚のシートに係る識別情報を情報検出部が検出し、検出した識別情報に関連付けられている取扱情報を取扱読出手段が読み出し、読み出した取扱情報が示すシートの取扱いの内容を取扱内容報知手段が報知する。
【００３２】
つまり、作業者が、複数枚のシートを第１トレイに載置することによって、これらの複数枚のシートに共通している取扱いの内容が作業者に報知される。又は、作業者が、１枚のシートを第１トレイに載置することによって、このシートの取扱いの内容が作業者に報知される。
【００３３】
ところで、搬送手段は、第１トレイに載置されているシートを１枚ずつ、第１トレイとは異なる第２トレイへ搬送する。即ち、このような搬送手段と情報検出部とを備える従来のシート搬送装置（例えば特許文献１に開示されている画像読取装置）のＣＰＵに適宜の制御プログラムを与え、このＣＰＵを取扱読出手段及び全部一致判定手段として機能させ、このシート搬送装置が備える表示部、音声出力部等を取扱報知手段又は取扱内容報知手段として機能させることによって、本発明のシート処理装置が簡易に構成される。
【００３４】
第４発明にあっては、全部一致判定手段が、読み出した取扱情報が全て一致しているわけではないと判定した場合に、搬送手段が、第１トレイに載置されているシートを１枚、第１トレイとは異なる第２トレイへ搬送する。つまり、搬送手段は、取扱読出手段による取扱記憶手段からの取扱情報の読出しの完了後に、１枚のシートを搬送する。
【００３５】
この搬送終了後に、まだ第１トレイに載置されている複数枚のシートに係る識別情報を情報検出部が検出し、検出した識別情報夫々に関連付けられている取扱情報が全て一致しているか否かを全部一致判定手段が判定する。
又は、この搬送終了後に、まだ第１トレイに載置されている１枚のシートに係る識別情報を情報検出部が検出し、検出した識別情報に関連付けられている取扱情報が示すシートの取扱いの内容を取扱内容報知手段が報知する。
【００３６】
つまり、１枚のシートが自動的に除去された後の残された複数枚のシートに共通している取扱いの内容が作業者に報知される。又は、１枚のシートが自動的に除去された後の残された複数枚のシートから更に１枚のシートが自動的に除去されることが繰り返される。或いは、１枚のシートが自動的に除去された後の残された１枚のシートの取扱いの内容が作業者に報知される。
【００３７】
第５発明にあっては、第１トレイから第２トレイへ自動的に搬送された１枚のシートに係る識別情報が算出され、算出された識別情報に関連付けられている取扱情報に示される内容を判定するか否かが判定され、報知すべき取扱いの内容が報知される。
このために、１枚のシートの搬送前に情報検出部が検出した識別情報が複数である場合、検出された複数の識別情報と、この１枚のシートの搬送後に情報検出部が検出した識別情報との差分を差分情報算出手段が求める。
差分情報算出手段が求めた差分の識別情報、即ち、搬送された１枚のシートに係る識別情報に関連付けられている取扱情報が示す取扱いの内容を報知するか否かを、可否判定手段が判定する。
【００３８】
可否判定手段が、この取扱いの内容を報知すると判定した場合に、この取扱いの内容を内容報知手段が報知する。一方、報知しないと判定した場合は、この取扱いの内容の報知は省略される。
内容報知手段が、この取扱いの内容を報知する場合、開始受付手段が、シートの搬送開始命令を受け付け、搬送手段は、少なくとも開始受付手段に搬送開始命令が入力された後で、次の１枚のシートを搬送する。つまり、搬送開始命令が入力されるまで、搬送手段はシートの搬送を待機する。更に詳細には、搬送手段は、開始受付手段に搬送開始命令が入力された後、全部一致判定手段が否と判定した場合に、次のシートを１枚搬送する。
【００３９】
一方、内容報知手段が、この取扱いの内容を報知しない場合、即ち、可否判定手段が、この取扱いの内容を報知しないと判定した場合は、搬送手段がシートの搬送を待機する必要がないため、可否判定手段の判定完了後、全部一致判定手段が否と判定した場合に、搬送手段が次のシートを１枚、第２トレイへ搬送する。
【００４０】
つまり、作業者が、複数枚のシートを第１トレイに載置することによって、これらの複数枚のシートから１枚のシートが自動的に除去され、除去されたシートの取扱いの内容が作業者に報知される。又は、複数枚のシートから１枚のシートが自動的に除去されるが、除去されたシートの取扱いの内容は作業者に報知されない。しかしながら、作業者は、除去されたシートの内、取扱いの内容が報知されなかったシートは、取扱いの内容が報知されたシートとは異なる取扱いをすべきシートであると理解する。
以上のことから、作業者が個々のシートの取扱いの内容を判断する必要がない。
【００４１】
除去されたシートの取扱いの内容が報知された場合、開始受付手段にシートの搬送開始命令が入力されるまで、シートの搬送は行なわれない。このため、作業者は、除去されたシートの取扱いの内容を確認した後で、開始受付手段に搬送開始命令を入力する。従って、次のシートは、作業者にとって最も望ましいタイミングで搬送される。
また、除去されたシートの取扱いの内容が報知されない場合は、次のシートが自動的に搬送されるため、作業者の作業手順が簡易である。
【００４２】
ここで、可否判定手段による判定の基準は、シート処理装置の工場出荷時にデフォルトで設定されていてもよく、作業者又はシート処理装置の管理者が適宜に与えてもよい。
また、取扱読出手段が読み出した取扱情報の内、最多の取扱情報が示す取扱いの内容は報知しない構成としてもよい。この場合、搬送手段が搬送を待機する回数が最少になる。
【００４３】
第６発明にあっては、作業者が、複数枚のシートを第１トレイに載置することによって、第１トレイから第２トレイへ自動的に搬送された１枚のシートに付与された記録媒体に記録してある識別情報（即ちシートに係る識別情報）が算出され、算出された識別情報に関連付けられている取扱情報に示される内容を判定するか否かが判定され、報知すべき取扱いの内容が報知される。ここで、シートの取扱いの内容とは、シートの廃棄、売却、寄贈、保管場所の変更等が許可されているか否か、シートに形成されている画像を社外秘とすべきか否か等である。
【００４４】
このために、シート処理装置は、第１トレイに載置されているシートに係る識別情報を検出する情報検出部を備える。
搬送手段は、第１トレイに載置されているシートを１枚ずつ、第１トレイとは異なる第２トレイへ搬送し、情報検出部は、搬送手段が１枚のシートを搬送した後で再び、第１トレイに載置されているシートに係る識別情報を検出する。
情報記憶手段は、１枚のシートの搬送前に情報検出部が検出した識別情報を記憶する。
【００４５】
また、第１情報読出手段は、識別情報とシートの取扱いの内容を示す取扱情報とを関連付けて記憶する取扱記憶手段から、情報記憶手段に記憶されている識別情報（即ち１枚のシートが搬送される前に第１トレイに載置されていたシートに係る識別情報）に関連付けられている取扱情報を読み出す。更に、第１記憶制御手段は、第１情報読出手段が読み出した取扱情報を、情報記憶手段に記憶されている識別情報に関連付けて、情報記憶手段に記憶させる。
【００４６】
情報記憶手段に記憶されている識別情報が複数である（即ち１枚のシートが搬送される前に第１トレイに複数枚のシートが載置されていた）場合、差分識別算出手段は、情報記憶手段に記憶されている識別情報と、この１枚のシートの搬送後に情報検出部が検出した識別情報（即ち１枚のシートが搬送された後にもまだ第１トレイに載置されているシートに係る識別情報）との差分を求める。
つまり、差分識別算出手段が求めた差分の識別情報とは、今回搬送された１枚のシートに係る識別情報である。
【００４７】
ところで、搬送手段は、情報検出部によって検出された識別情報を情報記憶手段が記憶した後で、取扱読出手段による取扱記憶手段からの取扱情報の読出しの完了／未完了に関わらず、１枚のシートを搬送する。このため、特に第１トレイに載置されたシートの枚数が多い場合、又は、例えば通信回線の混雑によって取扱記憶手段からの読出しに長時間を要する場合等には、取扱記憶手段からの取扱情報の読出しが完了しておらず、情報記憶手段に、取扱情報が関連付けられていない識別情報が存在することがある。
【００４８】
このため、差分記憶判定手段は、差分識別算出手段が求めた差分の識別情報に関連付けられている取扱情報が、情報記憶手段に記憶されているか否かを判定する。この取扱情報が情報記憶手段に記憶されていると差分記憶判定手段が判定した場合、報知可否判定手段が、この取扱情報が示す取扱いの内容を報知するか否かを判定する。
【００４９】
一方、差分識別算出手段が求めた差分の識別情報に関連付けられている取扱情報が情報記憶手段に記憶されていないと差分記憶判定手段が判定した場合、第２情報読出手段が、この識別情報に関連付けられている取扱情報を取扱記憶手段から読み出し、第２記憶制御手段が、第２情報読出手段によって読み出された取扱情報を、この識別情報に関連付けて情報記憶手段に記憶させる。第２情報読出手段による取扱情報の読出しは、第１情報読出手段による取扱情報の読出しに優先して実行され、第２記憶制御手段による取扱情報の記憶の後、報知可否判定手段が、この取扱情報が示す取扱いの内容を報知するか否かを判定する。
【００５０】
つまり、今回搬送された１枚のシートに係る識別情報に関連付けられている取扱情報の読出しが完了している場合は報知可否判定手段による判定が実行され、この取扱情報の読出しが完了していない場合は、この取扱情報の読出しが優先的に実行された後で、報知可否判定手段による判定が実行される。
【００５１】
内容報知手段は、報知可否判定手段が報知すると判定した場合に、この取扱情報が示す取扱いの内容を報知する。
内容報知手段が、この取扱情報が示す取扱いの内容を報知する場合、開始受付手段が、シートの搬送開始命令を受け付け、搬送手段は、開始受付手段に搬送開始命令が入力された後で次の１枚のシートが前記第２トレイへ到達するよう、搬送前のシートの搬送及び搬送中のシートの搬送継続夫々を待機する。従って、開始受付手段に搬送開始命令が入力されるまで、搬送前のシートは搬送を開始されず、搬送中のシートは搬送途中で一旦停止する。
【００５２】
一方、報知可否判定手段が報知しないと判定した場合は、この取扱情報が示す取扱いの内容の報知は省略される。従って、搬送手段がシートの搬送を待機する必要がないため、報知可否判定手段の判定完了後、搬送前のシートは搬送を開始され、搬送中のシートは第２トレイまで搬送される。
【００５３】
つまり、作業者が、複数枚のシートを第１トレイに載置することによって、これらの複数枚のシートから１枚のシートが自動的に搬送され、搬送されたシートの取扱いの内容が作業者に報知される。又は、複数枚のシートから１枚のシートが自動的に搬送されるが、搬送されたシートの取扱いの内容は作業者に報知されない。しかしながら、作業者は、搬送されたシートの内、取扱いの内容が報知されなかったシートは、取扱いの内容が報知されたシートとは異なる取扱いをすべきシートであると理解する。
以上のことから、作業者が個々のシートの取扱いの内容を判断する必要がない。
【００５４】
搬送されたシートの取扱いの内容が報知された場合、開始受付手段にシートの搬送開始命令が入力されるまで、シートの搬送は行なわれない。このため、作業者は、搬送されたシートの取扱いの内容を確認した後で、開始受付手段に搬送開始命令を入力する。従って、次のシートは、作業者にとって最も望ましいタイミングで搬送される。
また、搬送されたシートの取扱いの内容が報知されない場合は、次のシートが自動的に搬送されるため、作業者の作業手順が簡易である。
【００５５】
ところで、搬送手段と情報検出部とを備える従来のシート搬送装置（例えば特許文献１に開示されている画像読取装置）のＣＰＵに適宜の制御プログラムを与え、このＣＰＵを取扱読出手段、第１及び第２情報読出手段、第１及び第２記憶制御手段、差分識別算出手段、差分記憶判定手段、報知可否判定手段として機能させる。更に、このシート搬送装置が備えるＲＡＭ、ＥＥＰＲＯＭ等を情報記憶手段として機能させ、このシート搬送装置が備える表示部、音声出力部等を内容報知手段として機能させ、このシート搬送装置が備える操作部を開始受付手段として機能させることによって、本発明のシート処理装置が簡易に構成される。
【００５６】
ここで、取扱記憶手段は、例えばシート処理装置に内蔵又は外付けされているか、シート処理装置と通信可能な外部の装置に備えられており、識別情報とシートの取扱いの内容を示す取扱情報とを関連付けて予め記憶している。
また、シートの取扱いの内容とは、シートの廃棄、売却、寄贈、保管場所の変更等が許可されているか否か、シートに形成されている画像を社外秘とすべきか否か等である。
更に、報知可否判定手段による判定の基準は、シート処理装置の工場出荷時にデフォルトで設定されていてもよく、作業者又はシート処理装置の管理者が適宜に与えてもよい。
【００５７】
第７発明にあっては、作業者が、１枚のシートを第１トレイに載置することによって、第１トレイから第２トレイへ自動的に搬送された１枚のシートに係る識別情報に関連付けられている取扱情報に示される取扱いの内容が報知される。又は、第１トレイに載置された複数枚のシートの内、１枚若しくは複数枚が搬送された後、最後まで残っていた１枚のシートが自動的に搬送され、搬送されたシートの取扱いの内容が作業者に報知される。
【００５８】
このために、情報記憶手段に記憶されている識別情報が単数である（即ち１枚のシートが搬送される前に第１トレイに１枚のシートが載置されていた）場合、取扱内容報知手段は、この識別情報に関連付けられている取扱情報が示す取扱いの内容を報知する。
以上のことから、作業者が個々のシートの取扱いの内容を判断する必要がない。
ところで、たとえ第１情報読出手段によるこの取扱情報の読出しが完了していなくても、読み出すべき取扱情報はこの取扱情報だけであるため、第２情報読出手段で優先的に読み出す必要はなく、第１情報読出手段で読み出せばよい。
【００５９】
第８発明にあっては、１枚のシートの搬送完了後、即ち１枚のシートが第１トレイから第２トレイへ搬送された後、まだ第１トレイに載置されている複数枚のシート夫々に係る識別情報に関連付けられている取扱情報が全て一致しているか否かを判定し、一致している場合に、この取扱情報が示す内容を報知して、シートの搬送を終了する。
このために、１枚のシートの搬送完了後、次の１枚のシートの搬送完了前に情報記憶手段に記憶されている識別情報が複数である場合（即ちまだ第１トレイに複数枚のシートが残っている場合）、この識別情報夫々に関連付けられている取扱情報が全て情報記憶手段に記憶されているか否かを全部記憶判定手段が判定する。
【００６０】
全部記憶判定手段が、全ての取扱情報が記憶されていると判定した場合、これらの取扱情報（即ちまだ第１トレイに残されている複数枚のシート夫々に係る識別情報に関連付けられている取扱情報）が全て一致しているか否かを情報一致判定手段が判定する。
情報一致判定手段が、全て一致していると判定したとき、取扱報知手段が、この取扱情報が示す取扱いの内容を報知し、搬送手段は、次の１枚のシートの搬送完了を禁止する。このために搬送手段は、例えば、１枚のシートを第２トレイへ搬送しないか、第２トレイへの搬送途中で止めるか、搬送中のシートを第１トレイへ戻す。
【００６１】
このため、第１トレイに載置されている複数枚のシート全てに共通する取扱いの内容が報知され、これ以降、個々のシートの無用な搬送は行なわれない。
一方、全部記憶判定手段又は情報一致判定手段が否と判定した場合は、まだ全ての取扱情報を読み出せていないか、又は第１トレイに載置されている複数枚のシートの取扱いの内容が複数種類混在しているため、シートの搬送は継続される。
【００６２】
第９発明にあっては、取扱記憶手段が、識別情報と、シートの処分の許否を示す情報とを関連付けて記憶する。シートの処分の許否とは、シートの廃棄の許否、シートの保管場所の変更（例えば書棚から倉庫への変更）の許否等である。
【発明の効果】
【００６３】
第１発明のシート処理装置による場合、作業者が、複数枚のシートを情報検出部に接近、接触等させることによって、これらの複数枚のシートに共通している取扱いの内容を把握することができる。従って、取扱いの内容が不明な複数枚のシートを１枚ずつ調査する必要がないため、作業性を向上させることができる。
しかも、シートの廃棄の許否の報知に限定されず、シートの廃棄、保管場所の書棚から倉庫への変更等、シートの処分の許否も含むシートの取扱いの内容を報知することができる。
【００６４】
また、作業者がシートを情報検出部に接近、接触等させることで、シートの取扱いの内容が自動的に報知されるため、作業者が、特定のシートの取扱いの内容を能動的に調査したい場合に便利である。
更に、たとえ廃棄が許可されているシートであっても、このシートを自動的に廃棄しないため、シートと記録媒体との分別廃棄や、シートの裏側をメモ用紙として再利用するようなリサイクル等を容易に行なうことができる。
【００６５】
第２発明のシート処理装置による場合、作業者が、１枚のシートを情報検出部に接近、接触等させることによって、このシートの取扱いの内容を把握することができる。従って、取扱いの内容が不明なシートを、例えば文書管理記録を参照して調査する必要がないため、作業性を向上させることができる。
【００６６】
第３発明のシート処理装置による場合、作業者が、複数枚のシートを第１トレイに載置することによって、これらの複数枚のシートに共通している取扱いの内容を把握することができる。又は、作業者が、１枚のシートを第１トレイに載置することによって、このシートの取扱いの内容を把握することができる。
また、作業者がシートを第１トレイに載置することで、シートの取扱いの内容が自動的に報知されるため、作業者が、特定のシートの取扱いの内容を能動的に調査したい場合に便利である。
更に、このようなシート処理装置は、搬送手段、情報検出部、ＣＰＵ、表示部等を備える従来のシート搬送装置をもとにして簡易に構成することができる。
【００６７】
第４発明のシート処理装置による場合、第１トレイに載置されている３枚以上のシートから１枚のシートが自動的に第２トレイへ搬送された後で第１トレイに残されている２枚以上のシートに共通している取扱いの内容を作業者が把握することができる。又は、第１トレイに載置されている２枚のシートから１枚のシートが自動的に第２トレイへ搬送された後で第１トレイに残されている１枚のシートの取扱いの内容を作業者が把握することができる。
この場合、第２トレイへ搬送された１枚のシートの取扱いの内容と第１トレイに残されているシートの取扱いの内容とは異なる。従って、異なる取扱いをすべきシートを作業者が手作業で選り分ける必要がないため、作業性を向上させることができる。
【００６８】
第５発明のシート処理装置による場合、第１トレイに載置されている複数枚のシートの中から１枚、自動的に第２トレイへ搬送されたシートの取扱いの内容を作業者が把握することができる。
また、少なくともこのシートが搬送される前に第１トレイに載置されている複数枚のシートは、取扱いの内容が混交している（即ち取扱いの内容が共通ではない）が、異なる取扱いをすべきシートを作業者が手作業で選り分ける必要がないため、作業性を向上させることができる。
【００６９】
しかも、報知された取扱いの内容を作業者が把握する前に、次のシートが無用に第２トレイへ搬送されることが防止されており、取扱いの内容が報知されない場合は次のシートが自動的に第２トレイへ搬送されるため、作業性と作業効率とを両立させることができる。
【００７０】
第６発明のシート処理装置による場合、第１トレイに載置されている複数枚のシートの中から１枚、自動的に第２トレイへ搬送されたシートの取扱いの内容を作業者が把握することができる。
また、異なる取扱いをすべきシートを作業者が手作業で選り分ける必要がないため、作業性を向上させることができる。
しかも、報知された取扱いの内容を作業者が把握する前に、次のシートが無用に第２トレイへ搬送されることが防止されており、取扱いの内容が報知されない場合は次のシートが自動的に第２トレイへ搬送されるため、作業性と作業効率とを両立させることができる。
【００７１】
また、作業者がシートを第１トレイに載置することで、シートの取扱いの内容が自動的に報知されるため、作業者が、特定のシートの取扱いの内容を能動的に調査したい場合に便利である。
更に、たとえ廃棄が許可されているシートであっても、このシートを自動的に廃棄しないため、シートと記録媒体との分別廃棄や、シートの裏側をメモ用紙として再利用するようなリサイクル等を容易に行なうことができる。
更にまた、このようなシート処理装置は、搬送手段、情報検出部、ＣＰＵ、ＲＡＭ、表示部等を備える従来のシート搬送装置をもとにして簡易に構成することができる。
【００７２】
しかも、シートの廃棄の許否の報知に限定されず、シートの廃棄、保管場所の書棚から倉庫への変更等、シートの処分の許否も含むシートの取扱いの内容を報知することができる。
また、第１トレイに載置された複数枚のシートに係る識別情報に関連付けられている取扱情報を全て読み出し終える前にシートの搬送を開始し、搬送したシートの取扱いの内容を優先的に報知するため、取扱いの内容が報知されるまでの作業者の待機時間を減少させることができる。
【００７３】
第７発明のシート処理装置による場合、作業者が、１枚のシートを第１トレイに載置することによって、又は第１トレイに載置されている複数枚のシートの内の１枚若しくは複数枚が自動的に第２トレイへ搬送された結果として第１トレイに１枚だけシートが残った状態で、第１トレイに載置されている１枚のシートが自動的に第２トレイへ搬送されて、搬送されたシートの取扱いの内容を作業者が把握することができる。
【００７４】
第８発明のシート処理装置による場合、第１トレイに載置されている３枚以上のシートから１枚のシートが自動的に第２トレイへ搬送された後で第１トレイに残されている２枚以上のシートに共通している取扱いの内容を作業者が把握することができる。
この場合、第２トレイへ搬送された１枚のシートの取扱いの内容と第１トレイに残されているシートの取扱いの内容とは異なる。従って、異なる取扱いをすべきシートを作業者が手作業で選り分ける必要がないため、作業性を向上させることができる。
【００７５】
第９発明のシート処理装置による場合、シートの廃棄の許否、シートの保管場所の変更（例えば書棚から倉庫への変更）の許否等、シートの処分の許否を示す情報を取り扱うことができるため、シートの処分の許否を作業者が容易に把握することができる
【発明を実施するための最良の形態】
【００７６】
以下、本発明を、その実施の形態を示す図面に基づいて詳述する。
【００７７】
実施の形態  １．
図１は、本発明の実施の形態１に係るシート処理装置としてのＭＦＰの構成を示すブロック図であり、図２は、このＭＦＰが備えるＡＤＦの模式的な構成を示す正面図である。
また、図３は、このＭＦＰがアクセスするデータベースに記憶してあるデータの一例を示す模式図であり、図４は、このＭＦＰが備える識別記憶部に記憶してあるデータの一例を示す模式図である。
【００７８】
図中１はＭＦＰであり、ＭＦＰ１は、スキャナ機能、プリンタ機能、コピー機能、ファクシミリ機能、インターネットファクシミリ機能等、複数の機能を有するデジタル複合機（Multi Functional Peripheral ）である。以下では、ＭＦＰ１のスキャナ機能、プリンタ機能、及びコピー機能、並びに文書Ｓの廃棄の許否を判定する機能に係るＭＦＰ１の各部を主に説明する。
【００７９】
各文書Ｓは、文字、図画等の画像が形成されている記録用紙、ＯＨＰシート等のシートであり、図２に示すように、文書Ｓの片面には、パッシブ型のＩＣタグＴが付与されている。ＩＣタグＴは、このＩＣタグＴが付与された文書Ｓを識別するための識別情報が予め記録してある記録媒体として機能する。なお、ＩＣタグＴはパッシブ型に限らず、セミパッシブ型又はアクティブ型でもよい。
【００８０】
図１に示すように、ＭＦＰ１は、ＣＰＵ１０、ＲＯＭ１１、ＲＡＭ１２、表示部１４、操作部１５、画像処理部１６、画像メモリ１７、画像形成部１８、及びインタフェース（Ｉ／Ｆ）１９、並びにＡＤＦ２を備える。
ＣＰＵ１０はＭＦＰ１の制御中枢であり、ＲＡＭ１２を作業領域として用い、ＲＯＭ１１に記憶された制御プログラム及びデータに従って装置各部を制御し、各種処理を実行する。
また、ＭＦＰ１は、ＬＡＮ４に接続されているサーバ３０のクライアントであり、このために、ＭＦＰ１はＩ／Ｆ１９を介してＬＡＮ４に接続されている。
【００８１】
サーバ３０には、図３に示すような各種データが格納されているデータベース３が内蔵されている。データベース３は取扱記憶手段として機能し、具体的にはデータベース３には、文書Ｓ，Ｓ，…を識別するための識別情報と、文書の廃棄の許否を示す取扱情報（以下、許否情報という）と、文書の内容を示す内容情報とが関連付けられて格納されている。更に詳細には、各識別情報には、許否情報として、文書の廃棄の許可を示す許可情報及び文書の廃棄の不許可を示す不許可情報の何れか一方が関連付けられている。この許可情報及び不許可情報は、シートの処分の許否を示す情報である。
【００８２】
ＭＦＰ１のＣＰＵ１０は、所定のプロトコルに従ってサーバ３０と通信することによってデータベース３にアクセスし、データベース３に格納されている許否情報を読み出す。
図１に示すように、ＲＡＭ１２の記憶領域の一部は、ＣＰＵ１０がデータベース３から読み出した許否情報を含む図４に示すような各種データを記憶する識別記憶部１２１である。具体的には識別記憶部１２１には、ＣＰＵ１０によって、識別情報と、許否情報と、後述する載置トレイ２１から排出トレイ２２へ文書Ｓが搬送されたか否かを示す搬送情報とが関連付けられて記憶される。更に詳細には各識別情報には、搬送情報として、搬送が完了したことを示す完了情報、及びまだ搬送されていないことを示す未完情報の何れか一方が関連付けられる。
【００８３】
図１に示す表示部１４は液晶パネルを用いてなり、操作部１５は、ハードキーと表示部１４に積層してあるタッチパネル上にＣＰＵ１０によって設けられるソフトキーとを用いてなる各種ファンクションキーを備える。表示部１４は、ＣＰＵ１０に制御されて、例えばＭＦＰ１の作動状態、使用者に対する入力指示、操作部１５に設けられたソフトキーの位置を示す画像、文書Ｓの廃棄の許否を報知する文章等を表示し、ＭＦＰ１の使用者は、表示部１４を見ながら操作部１５の各種ファンクションキーを操作することによって、各種の作動命令をＣＰＵ１０に与える。このような表示部１４は各種報知手段として機能し、操作部１５は、文書Ｓの搬送開始命令を受け付ける開始受付手段として機能する。
【００８４】
ＡＤＦ２はＭＦＰ１本体の上部に設けられており、図２に示すように、第１トレイとしての載置トレイ２１と、第２トレイとしての排出トレイ２２とが、上側と下側とに離隔して、略平行に配されている。載置トレイ２１には、搬送すべき１枚の文書Ｓが載置されるか、又は搬送すべき複数枚の文書Ｓ，Ｓ，…が積み重ねられて載置され、排出トレイ２２には、搬送された１枚の文書Ｓが載置されるか、又は搬送された複数枚の文書Ｓ，Ｓ，…が積み重ねられて載置される。
以下では、載置トレイ２１に複数枚の文書Ｓ，Ｓ，…が載置される場合を主に説明する。
【００８５】
載置トレイ２１には、載置トレイ２１に文書Ｓ，Ｓ，…が載置されていることを検出する文書センサ２６が内蔵されている。文書センサ２６は接触センサ、光センサ等を用いてなり、文書Ｓ，Ｓ，…が載置されていることを検出している場合は所定の検出信号をＣＰＵ１０へ出力し、文書Ｓ，Ｓ，…が載置されていないことを検出している場合は検出信号の出力を実行しない。
【００８６】
更に載置トレイ２１には、情報検出部として機能するタグリーダ２３が内蔵されている。タグリーダ２３は所定の周波数の電波を発信し、ＩＣタグＴ，Ｔ，…が反射した電波を受信して、各ＩＣタグＴに記録してある識別情報を検出する。
タグリーダ２３の識別情報検出範囲は載置トレイ２１上であり、載置トレイ２１に載置されている各文書Ｓに付与されたＩＣタグＴに記録してある識別情報の検出が可能であるが、この範囲外に存在するＩＣタグＴ（例えば排出トレイ２２に載置されている各文書Ｓに付与されたＩＣタグＴ）に記録してある識別情報を検出することは不可能である。
【００８７】
また、タグリーダ２３は識別情報を検出するだけの物であり、検出された識別情報が記録してあるＩＣタグＴが付与された文書Ｓが、載置トレイ２１に積み重ねられて載置されている文書Ｓ，Ｓ，…の内の上から又は下から何枚目に存在するかを検出することは不可能である。
このようなタグリーダ２３によって検出された識別情報は、ＣＰＵ１０によって識別記憶部１２１に記憶される。
【００８８】
載置トレイ２１に載置されている文書Ｓ，Ｓ，…は、ピックアップローラ２４の回転によって１枚だけが搬送路２０に取り込まれ、搬送ローラ２５，２５，…の回転によって搬送路２０に沿って図２中矢符方向へ移動し排出トレイ２２に排出される。このようなピックアップローラ２４及び搬送ローラ２５，２５，…は、これら夫々を回転させる回転機構がＣＰＵ１０に制御されることによって、搬送手段として機能する。
搬送路２０の近傍には画像読取部２７が配されており、画像読取部２７はＣＣＤを用いてなり、文書Ｓが搬送路２０に沿って移動している途中で、文書Ｓに形成されている画像の画像データを光学的に読み取るように構成されている。
【００８９】
画像読取部２７によって読み取られた画像データは、図１に示す画像処理部１６へ送られて所定の画像処理を施されてから、ＤＲＡＭを用いてなる画像メモリ１７に記憶される。
画像形成部１８は、電子写真方式のプリント装置と、このプリント装置へ記録用紙、ＯＨＰシート等を供給する給紙装置とで構成されており、画像メモリ１７に記憶された画像データに基づいて記録用紙、ＯＨＰシート等に画像を形成する。
【００９０】
以下に、文書Ｓ，Ｓ，…の廃棄の許否を判定する機能について説明する。
１枚の文書Ｓ、又は複数枚の文書Ｓ，Ｓ，…夫々について、廃棄が許可されているか否かを調査する場合、作業者は、１枚の文書Ｓ又は複数枚の文書Ｓ，Ｓ，…を載置トレイ２１に載置する。
【００９１】
ＭＦＰ１はデータベース３にアクセスして文書Ｓに係る許否情報を取得し、許否情報の取得後、取得した許否情報に応じて、載置トレイ２１に載置されている文書Ｓについて、廃棄が許可されていること（又は廃棄が許可されていないこと）を、表示部１４にて報知する。
また、ＭＦＰ１は、データベース３にアクセスして文書Ｓ，Ｓ，…夫々に係る許否情報を取得し、全ての許否情報の取得後、取得した許否情報が全て一致しているか否かを判定し、全て一致している場合、即ち許可情報（又は不許可情報）のみが取得された場合は、載置トレイ２１に載置されている文書Ｓ，Ｓ，…について全て廃棄が許可されている（又は全て廃棄が許可されていない）ことを、表示部１４にて報知する。
【００９２】
更に、取得した許否情報が全て一致しているわけではない場合、即ち許可情報及び不許可情報が両方取得された場合は、載置トレイ２１に載置されている文書Ｓ，Ｓ，…について廃棄が許可されている物と許可されていない物とが混在しているため、ＭＦＰ１は、載置トレイ２１上の文書Ｓを１枚、排出トレイ２２へ搬送し、搬送された文書Ｓについて、廃棄が許可されている（又は許可されていない）ことを適宜に報知する。作業者は、報知内容と搬送された文書Ｓとを対応させることによって、廃棄が許可されている文書Ｓと許可されていない文書Ｓとを容易に区別する。
【００９３】
しかしながら、文書Ｓ，Ｓ，…を次々に搬送すると、作業者にとって、文書Ｓ，Ｓ，…と各文書Ｓの廃棄の可否とを対応させることが困難になる。また、１枚ずつ搬送される文書Ｓ毎に必ず廃棄の許否を報知することは非効率的である。このため、ＭＦＰ１は、１枚ずつ搬送される文書Ｓに対しては、廃棄の許可及び不許可の何れか一方のみを報知し、更に、報知を行なわない場合は文書Ｓ，Ｓ，…の連続的な搬送を可能とし、報知が行なわれた場合は作業者から搬送開始命令が与えられるまで搬送を待機するよう構成されている。
【００９４】
作業者は、ＭＦＰ１に廃棄の許可の報知を命ずる報知命令及び廃棄の不許可の報知を命ずる報知命令の内、何れか一方を選択してＭＦＰ１に与える。廃棄の許可の報知命令（又は廃棄の不許可の報知命令）をＭＦＰ１に与えた場合、作業者は、廃棄の許否の報知なしに排出トレイ２２へ搬送される文書Ｓ，Ｓ，…は廃棄が許可されていない（又は許可されている）物であると容易に把握する。
【００９５】
なお、廃棄の許可の報知命令又は廃棄の不許可の報知命令を作業者に選択させる構成のみならず、廃棄の許可及び廃棄の不許可の内、例えばＲＯＭ１１に予め記憶されている方、又は、ＭＦＰ１の管理者によって図示しないＥＥＰＲＯＭに予め設定されている方を報知する構成でもよい。
また、ＭＦＰ１側で、最初に載置トレイ２１に載置されている複数枚の文書Ｓ，Ｓ，…に係る廃棄の許否の多寡に応じて何れを報知するか自動的に選択する構成でもよい。何故ならば、載置トレイ２１に載置されている文書Ｓ，Ｓ，…の内、廃棄が許可されている物の方が許可されていない物よりも多い（又は少ない）場合は、廃棄の不許可（又は許可）を報知した方が効率がよいからである。
【００９６】
図５及び図６は、本発明の実施の形態１に係るＭＦＰのＣＰＵが実行する取扱判定処理の手順を示すフローチャートである。
図５に示すように、ＣＰＵ１０は、操作部１５にて廃棄の許可の報知命令及び廃棄の不許可の報知命令の内、何れか一方を受け付けたか否かを判定する（Ｓ１１）。作業者は操作部１５を操作して、廃棄の許可の報知命令又は廃棄の不許可の報知命令をＭＦＰ１に与え、更に、操作部１５に設けられているスタートキーを操作する。
【００９７】
報知命令を受け付けていない場合（Ｓ１１でＮＯ）、ＣＰＵ１０はＳ１１の処理を繰り返し実行し、報知命令を受け付けた場合（Ｓ１１でＹＥＳ）、ＣＰＵ１０は、受け付けた報知命令に基づいて、廃棄の許否の何れを報知するか決定する（Ｓ１２）。
次いで、ＣＰＵ１０は、文書センサ２６から検出信号が入力されたか否かを判定することによって、載置トレイ２１に文書Ｓ，Ｓ，…が載置されているか否かを判定し（Ｓ１３）、検出信号が入力されていない場合、即ち載置トレイ２１に文書Ｓ，Ｓ，…が載置されていない場合（Ｓ１３でＮＯ）、Ｓ１３の処理を繰り返し実行する。このとき、表示部１４にて文書Ｓ，Ｓ，…の載置を促す表示を行なってもよい。
【００９８】
文書センサ２６から検出信号が入力された場合、即ち載置トレイ２１に文書Ｓ，Ｓ，…が載置されている場合（Ｓ１３でＹＥＳ）、ＣＰＵ１０は、識別記憶部１２１に既に記憶されているデータと新たに記憶されるデータとが混在しないように、識別記憶部１２１に記憶されているデータを消去し、次いで、タグリーダ２３を用いて、載置トレイ２１に載置されている文書Ｓ，Ｓ，…に付与されたＩＣタグＴ，Ｔ，…夫々に記録してある識別情報を検出し（Ｓ１４）、検出された識別情報を識別記憶部１２１に記憶させる（Ｓ１５）。載置トレイ２１に複数枚の文書Ｓ，Ｓ，…が載置されている場合は、載置されている文書Ｓ，Ｓ，…夫々の識別情報が全てＳ１４で検出され、検出された識別情報は全てＳ１５で識別記憶部１２１に記憶される。
【００９９】
Ｓ１５の処理が完了した後、ＣＰＵ１０は、サーバ３０と通信を行なってデータベース３にアクセスし、識別記憶部１２１に記憶されている識別情報の内、まだ許否情報が関連付けられていない１個の識別情報を選択し、選択した識別情報に関連付けられている許否情報を、データベース３から読み出し（Ｓ１６）、読み出した許否情報と、未完情報とを、Ｓ１６で選択した識別情報に関連付けて識別記憶部１２１に記憶させる（Ｓ１７）。
【０１００】
ＣＰＵ１０は、識別記憶部１２１に記憶されている全ての識別情報夫々に関連付けて許否情報が記憶されているか否かを判定し（Ｓ１８）、まだ許否情報が関連付けられていない識別情報が存在する場合は（Ｓ１８でＮＯ）、処理をＳ１６へ戻して、この識別情報に関連付けられている許否情報をデータベース３から読み出す。Ｓ１６〜Ｓ１８の処理を実行することによって、識別記憶部１２１には、図４に示したような各種データが記憶される。ただし、後述するＳ３３の処理を実行するまでは完了情報は記憶されず、全ての識別情報夫々に関連付けて未完情報が記憶される。
【０１０１】
なお、許否情報の読み出しの開始から読み出しが終了するまで（即ちＳ１８でＹＥＳとなるまで）の間、例えば表示部１４にて、拒否情報の読み出し中であることを作業者に報知することが望ましい。
【０１０２】
識別記憶部１２１に記憶されている全ての識別情報夫々に関連付けて許否情報が記憶されている場合（Ｓ１８でＹＥＳ）、ＣＰＵ１０は、識別記憶部１２１に記憶されている識別情報、即ちタグリーダ２３が検出した識別情報が単数であるか否かを判定する（Ｓ１９）。識別情報が単数である場合（Ｓ１９でＹＥＳ）、ＣＰＵ１０は、識別記憶部１２１に記憶されている識別情報に関連付けられている報知情報が示す廃棄の許否を、表示部１４にて作業者に報知し（Ｓ２０）、取扱判定処理を終了する。この結果、作業者は、載置トレイ２１に載置した１枚の文書Ｓに係る廃棄の許否を把握する。
【０１０３】
識別記憶部１２１に記憶されている識別情報、即ちタグリーダ２３が検出した識別情報が複数である場合（Ｓ１９でＮＯ）、ＣＰＵ１０は、識別記憶部１２１に記憶されている複数の識別情報夫々に関連付けられている許否情報が全て一致しているか否かを判定する（Ｓ２１）。複数の許否情報が全て一致している場合（Ｓ２１でＹＥＳ）、即ち許可情報又は不許可情報のみが識別記憶部１２１に記憶されている場合、ＣＰＵ１０は、これらの許否情報が示す取扱いの内容（即ち文書Ｓの廃棄の許否）を、表示部１４にて作業者に報知し（Ｓ２２）、取扱判定処理を終了する。この結果、作業者は、載置トレイ２１に載置した複数枚の文書Ｓ，Ｓ，…全てに共通する廃棄の許否を把握する。
【０１０４】
複数の許否情報が全て一致しているわけではない場合（Ｓ２１でＮＯ）、即ち許可情報及び不許可情報の両方が識別記憶部１２１に記憶されている場合、図６に示すように、ＣＰＵ１０は、ピックアップローラ２４及び搬送ローラ２５，２５，…の回転機構を制御して、載置トレイ２１に載置されている１枚の文書Ｓを排出トレイ２２へ搬送する（Ｓ３１）。ただし、Ｓ３１の処理による文書Ｓの搬送中に、画像読取部２７で文書Ｓの画像を読み取る必要はない。
【０１０５】
文書Ｓの搬送完了後、ＣＰＵ１０は、載置トレイ２１に載置されている文書Ｓ，Ｓ，…に付与されたＩＣタグＴ，Ｔ，…夫々に記録してある識別情報を再び検出し（Ｓ３２）、検出された識別情報と、識別記憶部１２１に記憶されている識別情報との差分を算出し（Ｓ３３）、算出された差分の識別情報に関連付けられている未完情報を完了情報に書き換える。つまり、１枚の文書Ｓの搬送前後の識別情報の差分を求めることによって、Ｓ３１の処理によって搬送された文書Ｓに係る識別情報を算出する。
【０１０６】
ＣＰＵ１０は、Ｓ３３にて算出された差分の識別情報に関連付けられている許否情報が、Ｓ１２で決定した許否情報に一致しているか否かを判定し（Ｓ３４）、一致している場合は（Ｓ３４でＹＥＳ）、廃棄の許否を報知したことを示すフラグＦに“１”をセットしてから（Ｓ３５）、Ｓ３３にて算出された差分の識別情報に関連付けられている許否情報が示す廃棄の許否を、表示部１４にて作業者に報知する（Ｓ３６）。この結果、作業者は、今回排出トレイ２２へ搬送された文書Ｓに係る廃棄の許否を把握する。
Ｓ３３で算出された差分の識別情報に関連付けられている許否情報が、Ｓ１２で決定した拒否情報とは異なる場合（Ｓ３４でＮＯ）、ＣＰＵ１０は、フラグＦを“０”にリセットする（Ｓ３７）。
【０１０７】
Ｓ３６又はＳ３７の処理の完了後、ＣＰＵ１０は、識別記憶部１２１に記憶されている識別情報の内、未完情報が関連付けられている識別情報（即ちＳ３２にてタグリーダ２３が検出した識別情報）が単数であるか否かを判定する（Ｓ３８）。識別情報が単数である場合（Ｓ３８でＹＥＳ）、ＣＰＵ１０は、この識別情報に関連付けられている報知情報が示す廃棄の許否を、表示部１４にて作業者に報知し（Ｓ３９）、取扱判定処理を終了する。この結果、作業者は、載置トレイ２１に残されている１枚の文書Ｓに係る廃棄の許否を把握する。
【０１０８】
未完情報に関連付けられて識別記憶部１２１に記憶されている識別情報、即ちＳ３２にてタグリーダ２３が検出した識別情報が複数である場合（Ｓ３８でＮＯ）、ＣＰＵ１０は、未完情報に関連付けられて識別記憶部１２１に記憶されている複数の識別情報夫々に関連付けられている許否情報が全て一致しているか否かを判定する（Ｓ４０）。複数の許否情報が全て一致している場合（Ｓ４０でＹＥＳ）、即ち未完情報に関連付けられて許可情報又は不許可情報のみが識別記憶部１２１に記憶されている場合、ＣＰＵ１０は、これらの許否情報が示す廃棄の許否を、表示部１４にて作業者に報知し（Ｓ４１）、取扱判定処理を終了する。この結果、作業者は、載置トレイ２１に残されている複数枚の文書Ｓ，Ｓ，…全てに共通する廃棄の許否を把握する。
【０１０９】
複数の許否情報が全て一致しているわけではない場合（Ｓ４０でＮＯ）、即ち未完情報に関連付けられて許可情報及び不許可情報の両方が識別記憶部１２１に記憶されている場合、ＣＰＵ１０は、フラグＦに“１”がセットされているか否かを判定する（Ｓ４２）。フラグＦ＝１である場合（Ｓ４２でＹＥＳ）、Ｓ３６で廃棄の許否を報知したため、ＣＰＵ１０は、操作部１５にて搬送開始命令を受け付けたか否かを判定する（Ｓ４３）。この場合、作業者は、例えば、今回排出トレイ２２に搬送された文書Ｓを排出トレイ２２から取り除き、次いで、操作部１５を操作して、搬送開始命令をＭＦＰ１に与える。
【０１１０】
搬送開始命令を受け付けていない場合（Ｓ４３でＮＯ）、ＣＰＵ１０はＳ４３の処理を繰り返し実行する。この結果、例えば作業者が文書Ｓを排出トレイ２２から取り除き終えるまで、次の文書Ｓが搬送されることはない。
一方、搬送開始命令を受け付けた場合（Ｓ４３でＹＥＳ）、ＣＰＵ１０は処理をＳ３１へ戻して、次の文書Ｓを載置トレイ２１から排出トレイ２２へ搬送させる。
【０１１１】
フラグＦ＝０である場合（Ｓ４２でＮＯ）、ＣＰＵ１０はＳ４３の処理を行なうことなく、処理をＳ３１へ戻して、次の文書Ｓを載置トレイ２１から排出トレイ２２へ搬送させる。この結果、今回排出トレイ２２へ搬送された文書Ｓに係る廃棄の許否は報知されないが、作業者は、この文書Ｓに係る廃棄の許否を容易に把握する（例えば、Ｓ３６で廃棄の許可が報知されるなら、廃棄の許可が報知されない文書Ｓは廃棄が許可されていない）。
【０１１２】
このような取扱判定処理におけるＭＦＰ１は本発明のシート処理装置として機能する。また、Ｓ１６におけるＣＰＵ１０は、取扱読出手段として機能し、Ｓ２０及びＳ３９夫々におけるＣＰＵ１０は、表示部１４を制御して取扱内容報知手段として機能する。更に、Ｓ２１及びＳ４０夫々におけるＣＰＵ１０は、全部一致判定手段として機能し、Ｓ２２及びＳ４１夫々におけるＣＰＵ１０は、表示部１４を制御して取扱報知手段として機能する。
Ｓ３１におけるＣＰＵ１０は、ピックアップローラ２４及び搬送ローラ２５，２５，…を制御して搬送手段として機能し、Ｓ３３におけるＣＰＵ１０は差分情報算出手段として機能する。
【０１１３】
また、Ｓ３４におけるＣＰＵ１０は可否判定手段として機能し、Ｓ３６におけるＣＰＵ１０は、表示部１４を制御して内容報知手段として機能する。
更に、Ｓ４３におけるＣＰＵ１０は、操作部１３を制御して開始受付手段として機能する。
【０１１４】
以上のようなＭＦＰ１を用いることによって、最終的には、排出トレイ２２には、廃棄が許可されている（又は許可されていない）文書Ｓ，Ｓ，…が載置され、廃棄が許可されていない（又は許可されている）文書Ｓ，Ｓ，…は作業者によって排出トレイ２２から取り除かれ、載置トレイ２１には、廃棄が許可されている文書Ｓ，Ｓ，…か、廃棄が許可されていない文書Ｓ，Ｓ，…が残留する。
つまり、複数枚の文書Ｓ，Ｓ，…夫々の廃棄の許否が同時的に判定され、また、作業者が廃棄の許否を判断することなく、廃棄が許可されている文書Ｓ，Ｓ，…と廃棄が許可されていない文書Ｓ，Ｓ，…とを区別することが可能となる。この後、作業者は、廃棄が許可されている文書Ｓ，Ｓ，…を適切に廃棄処分し、廃棄が許可されていない文書Ｓ，Ｓ，…を適切に管理する。
【０１１５】
なお、廃棄が許可されている文書Ｓ，Ｓ，…を廃棄処分した後で、これらの文書Ｓ，Ｓ，…に係る識別情報及びこの識別情報に関連付けてデータベース３に格納されているデータを適宜に消去、修正等することが望ましい。
また、ＭＦＰ１がデータベース３を内蔵する構成でもよい。
更に、廃棄の許否の報知は、表示による報知に限定されず、例えば音声による報知を行なう構成でもよい。
更にまた、廃棄の許否の報知に限定されず、例えば書棚から倉庫への文書の移動の許否を報知してもよい。
【０１１６】
実施の形態  ２．
図７は、本発明の実施の形態２に係るシート処理装置としてのＭＦＰの構成を示すブロック図であり、図８は、このＭＦＰが備える情報記憶部に記憶してあるデータの一例を示す模式図である。
図中１はＭＦＰであり、ＭＦＰ１は、実施の形態１のＭＦＰ１と略同様の構成である。以下では、実施の形態１，２夫々のＭＦＰ１の差異について主に説明し、その他、実施の形態１に対応する部分には同一符号を付してそれらの説明を省略する。
【０１１７】
ＲＡＭ１２の記憶領域の一部は、ＣＰＵ１０がデータベース３から読み出した許否情報を含む図８に示すような各種データを記憶する情報記憶部１３であり、情報記憶部１３は、ＣＰＵ１０に制御されて情報記憶手段として機能する。具体的には情報記憶部１３には、実施の形態１の識別記憶部１２１と略同様に、ＣＰＵ１０によって、識別情報と許否情報と搬送情報とが関連付けられて記憶される。このために、タグリーダ２３によって検出された識別情報は、ＣＰＵ１０によって情報記憶部１３に記憶される。ただし、まだ許否情報が関連付けられていない識別情報に関しては、この識別情報に関連付けて、まだデータベース３から許否情報を取得していないことを示す未取得情報が記憶される。
【０１１８】
以下に、文書Ｓ，Ｓ，…の廃棄の許否を判定する機能について説明する。
１枚の文書Ｓ、又は複数枚の文書Ｓ，Ｓ，…夫々について、廃棄が許可されているか否かを調査する場合、作業者は、実施の形態１のＭＦＰ１を用いる場合と略同様に、１枚の文書Ｓ又は複数枚の文書Ｓ，Ｓ，…を載置トレイ２１に載置する。
【０１１９】
ここで、実施の形態１のＭＦＰ１は、データベース３にアクセスして文書Ｓ，Ｓ，…に係る許否情報を取得し、許否情報の取得後、取得した許否情報に応じて、載置トレイ２１に載置されている文書Ｓ，Ｓ，…について、取得した許否情報が全て一致しているか否かを判定し、全て一致している場合、この許否情報が示す取扱いの内容を、表示部１４にて報知する。また、全てが一致しているわけではない場合、１枚の文書Ｓを搬送する。
【０１２０】
ところで、一般に、原稿の画像を読み取る場合には、ＡＤＦ２の載置トレイ２１に載置されている文書Ｓ，Ｓ，…は、スタートキーが操作されると即座に排出トレイ２２へ搬送され始める。しかしながら、データベース３からの許否情報の取得は、特に文書Ｓ，Ｓ，…が多数枚である場合には、長時間を要することがあり、このため、表示部１４にて判定結果が報知されるまで、又は１枚の文書Ｓが搬送されるまで、作業者が長時間待機する必要がある。以上のことから、作業者がＭＦＰ１の故障を疑ったり、取扱判定処理の実行速度が遅いと感じて苛々したりすることが考られる。
【０１２１】
このような不都合を解消するために、本実施の形態のＭＦＰ１においては、載置トレイ２１に載置されている文書Ｓ，Ｓ，…に係る識別情報をタグリーダ２３で検出し、検出された識別情報に関連付けられている許否情報をデータベース３から読み出す処理と同時的に、スタートキーが操作されると即座に排出トレイ２２へ１枚の文書Ｓを搬送し、搬送された文書Ｓに係る識別情報を、タグリーダ２３を用いて求め、求めた識別情報に関連付けられている許否情報をデータベース３から優先的に読み出す処理を実行する。
【０１２２】
図９及び図１０は、本発明の実施の形態２に係るＭＦＰのＣＰＵが実行する取扱判定処理の手順を示すフローチャートであり、図１１は、本発明の実施の形態２に係るＭＦＰのＣＰＵが実行する情報読出処理の手順を示すフローチャートである。
図９に示すＳ５１〜Ｓ５４の処理は、図５に示すＳ１１〜Ｓ１４の処理と略同様であるため、説明を省略する。
【０１２３】
ＣＰＵ１０は、タグリーダ２３が検出した識別情報を情報記憶部１３に記憶させる（Ｓ５５）。Ｓ５５の処理は後述するＳ５７の処理の前に実行されているため、Ｓ５５の処理を実行することによって、情報記憶部１３に、１枚のシートの搬送前にタグリーダ２３が検出した識別情報が記憶される。
Ｓ５５の処理完了後、ＣＰＵ１０は、図１１に示す情報読出処理の実行を開始し（Ｓ５６）、情報読出処理の実行と同時的に、後述するＳ５７以降の処理を実行する。ただし、Ｓ５７の処理は、後述するＳ９２の処理の完了後に実行を開始する必要がある。
【０１２４】
ここで、まず、情報読出処理について説明する。
図１１に示すように、ＣＰＵ１０は、必要な許否情報を全て読み出したことを示すフラグＡを“０”にリセットする（Ｓ９１）。次に、ＣＰＵ１０は、情報記憶部１３に記憶されている全ての識別情報夫々に関連付けて所定の各情報を記憶させる（Ｓ９２）。具体的にはＣＰＵ１０は、許否情報の代わりに未取得情報を情報記憶部１３に記憶させ、更に、未完情報を記憶させる。Ｓ９２の処理完了後、ＣＰＵ１０は、Ｓ９３以降の処理と同時的に、Ｓ５７以降の処理を実行する。
【０１２５】
ＣＰＵ１０は、サーバ３０と通信を行なってデータベース３にアクセスし、情報記憶部１３に記憶されている識別情報の内、未取得情報が関連付けられている１個の識別情報を選択し、選択した識別情報に関連付けられている許否情報をデータベース３から読み出し（Ｓ９３）、読み出した許否情報を、未取得情報の代わりにこの識別情報に関連付けて情報記憶部１３に記憶させる（Ｓ９４）。
【０１２６】
ＣＰＵ１０は、情報記憶部１３に記憶されている全ての識別情報夫々に関連付けて許否情報が記憶されているか否かを判定し（Ｓ９５）、許否情報が関連付けられていない識別情報、即ち未取得情報が関連付けられている識別情報が存在する場合は（Ｓ９５でＮＯ）、処理をＳ９３へ戻して、この識別情報に関連付けられている許否情報をデータベース３から読み出す。Ｓ９３〜Ｓ９５の処理を実行することによって、情報記憶部１３には、図８に示したような各種データが記憶される。ただし、Ｓ６３の処理が完了するまでは完了情報は記憶されず、各識別情報に関連付けて未完情報が記憶される。
【０１２７】
情報記憶部１３に記憶されている全ての識別情報夫々に関連付けて許否情報が記憶されている場合（Ｓ９５でＹＥＳ）、ＣＰＵ１０はフラグＡに“１”をセットして（Ｓ９６）、情報読出処理を終了する。
【０１２８】
次に、情報読出処理の実行と同時的に実行するＳ５７以降の処理について説明する。
図９に示すように、ＣＰＵ１０は、ピックアップローラ２４及び搬送ローラ２５，２５，…の回転機構を制御して、載置トレイ２１に載置されている１枚の文書Ｓを排出トレイ２２へ搬送する（Ｓ５７）。ただし、Ｓ５７の処理による文書Ｓの搬送中に、画像読取部２７で文書Ｓの画像を読み取る必要はない。
【０１２９】
Ｓ５７の処理完了後、ＣＰＵ１０は、情報記憶部１３に記憶されている識別情報が単数であるか否かを判定する（Ｓ５８）。識別情報が単数である場合（Ｓ５８でＹＥＳ）、Ｓ５７における文書Ｓの搬送前に載置トレイ２１に載置されていた文書Ｓが１枚であったため、ＣＰＵ１０は、フラグＡに“１”がセットされているか否かを判定し（Ｓ５９）、Ａ＝０である場合（Ｓ５９でＮＯ）、データベース３からの許否情報の読み出しがまだ完了していないため、Ｓ５９の処理を繰り返す。
【０１３０】
Ａ＝１である場合（Ｓ５９でＹＥＳ）、ＣＰＵ１０は、情報記憶部１３に記憶されている識別情報に関連付けられている報知情報が示す廃棄の許否を、表示部１４にて作業者に報知し（Ｓ６０）、取扱判定処理を終了する。この結果、作業者は、排出トレイ２２へ搬送された１枚の文書Ｓに係る廃棄の許否を把握する。
【０１３１】
情報記憶部１３に記憶されている識別情報が複数である場合（Ｓ５８でＮＯ）、Ｓ５７における文書Ｓの搬送前に載置トレイ２１に載置されていた文書Ｓが複数枚であったため、ＣＰＵ１０は、載置トレイ２１に載置されている文書Ｓ，Ｓ，…に付与されたＩＣタグＴ，Ｔ，…夫々に記録してある識別情報を検出する（Ｓ６１）。更にＣＰＵ１０は、Ｓ６１にて検出された識別情報と、情報記憶部１３に記憶されている識別情報との差分を算出する（Ｓ６２）。つまり、１枚の文書Ｓの搬送前後の識別情報の差分を求めることによって、Ｓ５７の処理によって搬送された搬送された文書Ｓに係る識別情報を算出する。
【０１３２】
Ｓ６２の処理完了後、Ｓ６２で算出された差分の識別情報に関連付けられている未完情報を完了情報に書き換えることによって、ＣＰＵ１０は、再びＳ５７の処理が実行されることによる次の１枚のシートの搬送前に、タグリーダ２３が検出した識別情報を情報記憶部１３に記憶させる（Ｓ６３）。つまり、未完情報に関連付けられている識別情報が、次の１枚のシートの搬送前に載置トレイ２１に載置されている文書Ｓ，Ｓ，…に係る識別情報である。
【０１３３】
図１０に示すように、ＣＰＵ１０は、Ｓ６２にて算出した差分の識別情報に関連付けられている許否情報が情報記憶部１３に記憶されているか否かを判定し（Ｓ７１）、記憶されていない場合（Ｓ７１でＮＯ）、この差分の識別情報に関連付けられている許否情報をデータベース３から優先的に読み出し（Ｓ７２）、読み出した許否情報を、未取得情報の代わりに、この識別情報に関連付けて情報記憶部１３に記憶させ（Ｓ７３）、処理をＳ７４へ移す。
一方、Ｓ６２にて算出された差分の識別情報に関連付けられている許否情報が情報記憶部１３に記憶されている場合（Ｓ７１でＹＥＳ）、Ｓ７２及びＳ７３の処理を実行せずに、処理をＳ７４へ移す。
【０１３４】
具体的に、Ｓ６１の完了時点で、図８に示す識別情報「ＸＸＸＸ１」に関して既にＳ９３及びＳ９４の処理が完了している場合を例示する。この場合、Ｓ６１の完了時点で、情報記憶部１３には、識別情報「ＸＸＸＸ１」に関連付けて「許可情報」と「未完情報」とが関連付けて記憶されている。このため、Ｓ６２にて算出された識別情報が識別情報「ＸＸＸＸ１」であったとき、Ｓ６３の完了時点で、図８（ａ）に示すように、情報記憶部１３において、識別情報「ＸＸＸＸ１」に関連付けて「許可情報」と「完了情報」とが関連付けられる。この結果、Ｓ７２及びＳ７３の処理を実行する必要はないため、後述するＳ７４の実行時点で、情報記憶部１３には図８（ａ）に示すようなデータが情報記憶部１３に記憶されている。
【０１３５】
ところが、Ｓ６１の完了時点で、識別情報「ＸＸＸＸ７」に関して未だＳ９３及びＳ９４の処理が実行されていない場合、情報記憶部１３には、識別情報「ＸＸＸＸ７」に関連付けて「未取得情報」と「未完情報」とが関連付けて記憶されている。このため、Ｓ６２にて算出された識別情報が識別情報「ＸＸＸＸ７」であったとき、Ｓ６３の完了時点で、図８（ａ）に示すように、情報記憶部１３において、識別情報「ＸＸＸＸ７」に関連付けて「未取得情報」と「完了情報」とが関連付けられる。この結果、Ｓ７２及びＳ７３の処理が実行されて、識別情報「ＸＸＸＸ７」に関連付けて「不許可情報」と「完了情報」とが関連付けられる。このため、Ｓ７４の実行時点で、情報記憶部１３には図８（ｂ）に示すようなデータが情報記憶部１３に記憶されている。
【０１３６】
Ｓ７１でＹＥＳの場合又はＳ７３の処理完了後、ＣＰＵ１０は、この許否情報が、Ｓ５２で決定した拒否情報に一致しているか否かを判定し（Ｓ７４）、一致している場合は（Ｓ７４でＹＥＳ）、Ｓ６２にて算出された差分の識別情報に関連付けられている許否情報が示す廃棄の許否を、表示部１４にて作業者に報知する（Ｓ７５）。この結果、作業者は、今回排出トレイ２２へ搬送された文書Ｓに係る廃棄の許否を把握する。
Ｓ７５で廃棄の許否を報知したため、ＣＰＵ１０は、操作部１５にて搬送開始命令を受け付けたか否かを判定する（Ｓ７６）。この場合、作業者は、例えば、今回排出トレイ２２に搬送された文書Ｓを排出トレイ２２から取り除き、次いで、操作部１５を操作して、搬送開始命令をＭＦＰ１に与える。
【０１３７】
搬送開始命令を受け付けていない場合（Ｓ７６でＮＯ）、ＣＰＵ１０はＳ７６の処理を繰り返し実行する。この結果、例えば作業者が文書Ｓを排出トレイ２２から取り除き終えるまで、無用にＳ５７へ処理が戻されて次の文書Ｓが搬送されることはない。
一方、搬送開始命令を受け付けた場合（Ｓ７６でＹＥＳ）、又は、Ｓ６２で算出された差分の識別情報に関連付けられている許否情報が、Ｓ５２で決定した拒否情報とは異なる場合（Ｓ７４でＮＯ）、情報記憶部１３に記憶されている識別情報が複数であるか否かを判定する（Ｓ７７）。
【０１３８】
情報記憶部１３に記憶されている識別情報が複数である場合（Ｓ７７でＹＥＳ）、ＣＰＵ１０は、フラグＡに“１”がセットされているか否かを判定する（Ｓ７８）。Ａ＝１である場合（Ｓ７８でＹＥＳ）、必要な許否情報が全て読み出されている（即ち情報記憶部１３に未取得情報が記憶されていない）ため、ＣＰＵ１０は、未完情報に関連付けられて情報記憶部１３に記憶されている複数の識別情報夫々に関連付けられている許否情報が全て一致しているか否かを判定する（Ｓ７９）。
【０１３９】
複数の許否情報が全て一致している場合（Ｓ７９でＹＥＳ）、即ち未完情報に関連付けられて許可情報又は不許可情報のみが情報記憶部１３に記憶されている場合、ＣＰＵ１０は、これらの許否情報が示す廃棄の許否を、表示部１４にて作業者に報知し（Ｓ８０）、取扱判定処理を終了する。この結果、作業者は、載置トレイ２１に残されている複数枚の文書Ｓ，Ｓ，…全てに共通する廃棄の許否を把握する。また、Ｓ８０の処理完了後、無用にＳ５７へ処理が戻されて次の文書Ｓが搬送されることはない。
【０１４０】
情報記憶部１３に記憶されている識別情報が単数である場合（Ｓ７７でＮＯ）、載置トレイ２１には残り１枚の文書Ｓしか載置されていないため、ＣＰＵ１０は処理をＳ５７へ戻してこの文書Ｓを搬送する。
Ａ＝０である場合（Ｓ７８でＮＯ）、必要な許否情報を読み出し終えていないため、ＣＰＵ１０は処理をＳ５７へ戻して、次の文書Ｓを載置トレイ２１から排出トレイ２２へ搬送させる。
複数の許否情報が全て一致しているわけではない場合（Ｓ７９でＮＯ）、即ち未完情報に関連付けられて許可情報及び不許可情報の両方が情報記憶部１３に記憶されている場合、ＣＰＵ１０は処理をＳ５７へ戻して、次の文書Ｓを載置トレイ２１から排出トレイ２２へ搬送させる。
【０１４１】
つまり、少なくともＳ７４でＮＯとなるか、又は、Ｓ７６でＹＥＳとなるまで、次の１枚の文書Ｓは搬送されず、Ｓ７４でＮＯとなるか、又は、Ｓ７６でＹＥＳとなった後で、この文書Ｓが排出トレイ２２に到達するようにされている。なお、Ｓ７４でＮＯとなる前に、又は、Ｓ７６でＹＥＳとなる前に、次の１枚の文書Ｓを搬送路２０へ引き込んでおき、Ｓ７４でＮＯとなるか、又は、Ｓ７６でＹＥＳとなった後で、この文書Ｓが排出トレイ２２に到達するまでこの文書Ｓを搬送路２０で待機させておく構成でもよい。
【０１４２】
このような取扱判定処理及び情報読出処理におけるＭＦＰ１は、本発明のシート処理装置として機能する。また、タグリーダ２３は情報検出部として機能し、ピックアップローラ２４及び搬送ローラ２５，２５，…は、これら夫々を回転させる回転機構がＣＰＵ１０に制御されることによって、搬送手段として機能する。
更に、Ｓ９３におけるＣＰＵ１０は第１情報読出手段として機能し、Ｓ９４におけるＣＰＵ１０は第１記憶制御手段として機能して、Ｓ５７におけるＣＰＵ１０は、ピックアップローラ２４及び搬送ローラ２５，２５，…を制御して搬送手段として機能する。
【０１４３】
Ｓ６２におけるＣＰＵ１０は差分識別算出手段として機能し、Ｓ７１におけるＣＰＵ１０は差分記憶判定手段として機能し、Ｓ７２におけるＣＰＵ１０は第２情報読出手段として機能し、Ｓ７３におけるＣＰＵ１０は第２記憶制御手段として機能する。また、Ｓ７４におけるＣＰＵ１０は報知可否判定手段として機能し、Ｓ７５におけるＣＰＵ１０は、表示部１４を制御して内容報知手段として機能して、Ｓ７６におけるＣＰＵ１０は、操作部１３を制御して開始受付手段として機能する。
【０１４４】
更に、Ｓ６０におけるＣＰＵ１０は、表示部１４を制御して取扱内容報知手段として機能する。更にまた、Ｓ７８におけるＣＰＵ１０は全部記憶判定手段として機能し、Ｓ７９におけるＣＰＵ１０は情報一致判定手段として機能し、Ｓ８０におけるＣＰＵ１０は、表示部１４を制御して取扱報知手段として機能する。
【０１４５】
以上のようなＭＦＰ１を用いることによって、実施の形態１のＭＦＰ１を用いる場合と同様に、最終的には、排出トレイ２２には、廃棄が許可されている（又は許可されていない）文書Ｓ，Ｓ，…が載置され、廃棄が許可されていない（又は許可されている）文書Ｓ，Ｓ，…は作業者によって排出トレイ２２から取り除かれる。更に、載置トレイ２１には、廃棄が許可されている文書Ｓ，Ｓ，…か、廃棄が許可されていない文書Ｓ，Ｓ，…が残留する。
【０１４６】
つまり、複数枚の文書Ｓ，Ｓ，…夫々の廃棄の許否が同時的に判定され、また、作業者が廃棄の許否を判断することなく、廃棄が許可されている文書Ｓ，Ｓ，…と廃棄が許可されていない文書Ｓ，Ｓ，…とを区別することが可能となる。この後、作業者は、廃棄が許可されている文書Ｓ，Ｓ，…を適切に廃棄処分し、廃棄が許可されていない文書Ｓ，Ｓ，…を適切に管理する。
【０１４７】
なお、載置トレイ２１に載置されている文書Ｓ，Ｓ，…の枚数（即ちタグリーダ２３が検出した識別情報の個数）の多寡に応じて、又は作業者の要望に応じて、実施の形態１のＭＦＰ１のような取扱判定処理を実行するか、本実施の形態のＭＦＰ１のような取扱判定処理及び情報読出処理を実行するかを選択可能な構成としてもよい。
【０１４８】
また、本発明のシート処理装置は、実施の形態１，２で示したように、ＭＦＰの一部として構成する場合に好適であるが、同様に、スキャナ、コピー機、ファクシミリ装置等、ＡＤＦを備える画像読取装置の一部として構成する場合にも好適である。更に、画像読取装置以外のシートを搬送する装置の一部として構成してもよい。更にまた、文書の廃棄の許否を判定するシート処理装置単体として構成してもよく、このシート処理装置は、トレイや文書を搬送する機能等を省いて、文書の束に共通する許否情報があればこの許否情報の内容を報知する構成でもよい。
【図面の簡単な説明】
【０１４９】
【図１】本発明の実施の形態１に係るシート処理装置としてのＭＦＰの構成を示すブロック図である。
【図２】本発明の実施の形態１に係るＭＦＰが備えるＡＤＦの模式的な構成を示す正面図である。
【図３】本発明の実施の形態１に係るＭＦＰがアクセスするデータベースに記憶してあるデータの一例を示す模式図である。
【図４】本発明の実施の形態１に係るＭＦＰが備える識別記憶部に記憶してあるデータの一例を示す模式図である。
【図５】本発明の実施の形態１に係るＭＦＰのＣＰＵが実行する取扱判定処理の手順を示すフローチャートである。
【図６】本発明の実施の形態１に係るＭＦＰのＣＰＵが実行する取扱判定処理の手順を示すフローチャートである。
【図７】本発明の実施の形態２に係るシート処理装置としてのＭＦＰの構成を示すブロック図である。
【図８】本発明の実施の形態２に係るＭＦＰが備える情報記憶部に記憶してあるデータの一例を示す模式図である。
【図９】本発明の実施の形態２に係るＭＦＰのＣＰＵが実行する取扱判定処理の手順を示すフローチャートである。
【図１０】本発明の実施の形態２に係るＭＦＰのＣＰＵが実行する取扱判定処理の手順を示すフローチャートである。
【図１１】本発明の実施の形態２に係るＭＦＰのＣＰＵが実行する情報読出処理の手順を示すフローチャートである。
【符号の説明】
【０１５０】
１    ＭＦＰ（シート処理装置）
１０  ＣＰＵ
１３  情報記憶部（情報記憶手段）
１４  表示部（取扱報知手段，取扱内容報知手段，内容報知手段）
１５  操作部（開始受付手段）
２１  載置トレイ（第１トレイ）
２２  排出トレイ（第２トレイ）
２３  タグリーダ（情報検出部）
２４  ピックアップローラ（搬送手段）
２５  搬送ローラ（搬送手段）
３    データベース（取扱記憶手段）
Ｓ    文書（シート）
Ｔ    ＩＣタグ（記録媒体）
【図１】
2008278420.tif 000003
【図２】
2008278420.tif 000004
【図３】
2008278420.tif 000005
【図４】
2008278420.tif 000006
【図５】
2008278420.tif 000007
【図６】
2008278420.tif 000008
【図７】
2008278420.tif 000009
【図８】
2008278420.tif 000010
【図９】
2008278420.tif 000011
【図１０】
2008278420.tif 000012
【図１１】
2008278420.tif 000013